【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
第１の通信方式を利用して通信データを送信又は受信する通信端末とネットワークを介して接続し、宛先を管理する管理システムにおいて、
前記第１の通信方式を利用して通信データを送信又は受信する第１の宛先又は前記第１の通信方式とは異なる第２の通信方式を利用して通信データを送信又は受信する第２の宛先を、前記通信端末が前記管理システムにログインする際に用いる識別情報と関連付けて管理する宛先管理手段と、
前記第１の宛先と該第１の宛先の状態を示す状態情報を関連付けて管理する状態管理手段と、
前記管理システムへ前記識別情報を用いてログインした前記通信端末へ該識別情報に関連付けられた前記第１又は第２の宛先を送信する送信手段と、を有し、
前記送信手段は、前記第１の宛先を送信する場合には、該第１の宛先に関連付けられた前記状態情報を前記通信端末へ送信し、前記第２の宛先を送信する場合には、該第２の宛先の状態が不明である旨を示す情報を前記通信端末へ送信することを特徴とする管理システム。
【請求項２】
前記第１の通信方式及び前記第２の通信方式は、前記通信端末の宛先と接続又は切断をするための呼制御方式と、前記通信データをＩＰパケット化するための符号化方式とでそれぞれ示され、
前記第１の通信方式及び前記第２の通信方式は、前記呼制御方式と前記符号化方式のうち少なくとも一方が異なることを特徴とする請求項１に記載の管理システム。
【請求項３】
前記状態管理手段は、前記識別情報に、宛先となる通信端末の名称を示す端末名情報を関連付けて管理し、
前記送信手段は、前記ログインした通信端末へ、前記第１の宛先及び前記第２の宛先にそれぞれ対応する前記端末名情報を送信することを特徴とする請求項１又は２に記載の管理システム。
【請求項４】
前記符号化方式は、映像データの符号化方式であることを特徴とする請求項２に記載の管理システム。
【請求項５】
前記映像データの符号化方式は、少なくともＨ．２６４／ＳＶＣ及びＨ．２６４／ＡＶＣのいずれか一方であることを特徴とする請求項４に記載の管理システム。
【請求項６】
前記管理システムはさらに、前記第１の宛先及び前記第２の宛先の少なくとも何れかを含む宛先リストを表示させた前記通信端末の宛先選択画面において、受け付けた前記通信端末の宛先の選択に応じて、選択された宛先との通信を開始する要求を示す開始要求情報を前記通信端末から受信する受信手段を有することを特徴とする請求項１乃至５のいずれか一項に記載の管理システム。
【請求項７】
前記状態情報は、オンラインであることを示す状態情報を含むことを特徴とする請求項１乃至６のいずれか一項に記載の管理システム。
【請求項８】
前記第２の通信方式は、少なくともＳＩＰ又はＨ．３２３のいずれかであることを特徴とする請求項１乃至７のいずれか一項に記載の管理システム。
【請求項９】
前記第１の宛先及び前記第２の宛先はそれぞれ宛先名を含むことを特徴とする請求項１乃至８のいずれか一項に記載の管理システム。
【請求項１０】
前記管理システムは、１以上のコンピュータによって構築されていることを特徴とする請求項１乃至９のいずれか一項に記載の管理システム。
【請求項１１】
第１の通信方式を利用して通信データを送信又は受信する通信端末とネットワークを介して接続し、宛先を管理する管理システムが実行する通信制御方法において、
前記管理システムは、
前記第１の通信方式を利用して通信データを送信又は受信する第１の宛先又は前記第１の通信方式とは異なる第２の通信方式を利用して通信データを送信又は受信する第２の宛先を、前記通信端末が前記管理システムにログインする際に用いる識別情報と関連付けて管理する宛先管理手段と、
前記第１の宛先と該第１の宛先の状態を示す状態情報を関連付けて管理する状態管理手段と、を有し、
前記管理システムが、
前記管理システムへ前記識別情報を用いてログインした前記通信端末へ該識別情報に関連付けられた前記第１又は第２の宛先を送信するステップと、
前記第１の宛先を送信する場合には、該第１の宛先に関連付けられた前記状態情報を前記通信端末へ送信し、前記第２の宛先を送信する場合には、該第２の宛先の状態が不明である旨を示す情報を前記通信端末へ送信するステップと、を実行することを特徴とする通信制御方法。
【請求項１２】
前記第１の通信方式及び前記第２の通信方式は、前記通信端末の宛先と接続又は切断をするための呼制御方式と、前記通信データをＩＰパケット化するための符号化方式とでそれぞれ示され、
前記第１の通信方式及び前記第２の通信方式は、前記呼制御方式と前記符号化方式のうち少なくとも一方が異なることを特徴とする請求項１１に記載の通信制御方法。
【請求項１３】
前記状態管理手段は、前記識別情報に、宛先となる通信端末の名称を示す端末名情報を関連付けて管理し、
前記第１又は第２の宛先を送信するステップにおいて、前記ログインした通信端末へ、前記第１の宛先及び前記第２の宛先にそれぞれ対応する前記端末名情報を送信することを特徴とする請求項１１又は１２に記載の通信制御方法。
【請求項１４】
コンピュータを、第１の通信方式を利用して通信データを送信又は受信する通信端末とネットワークを介して接続し、宛先を管理する管理システムとして機能させるプログラムであって、前記コンピュータに、
前記第１の通信方式を利用して通信データを送信又は受信する第１の宛先又は前記第１の通信方式とは異なる第２の通信方式を利用して通信データを送信又は受信する第２の宛先を、前記通信端末が前記管理システムにログインする際に用いる識別情報と関連付けて管理する宛先管理処理と、
前記第１の宛先と該第１の宛先の状態を示す状態情報を関連付けて管理する状態管理処理と、
前記管理システムへ前記識別情報を用いてログインした前記通信端末へ該識別情報に関連付けられた前記第１又は第２の宛先を送信する送信処理と、を実行させ、
前記送信処理は、前記第１の宛先を送信する場合には、該第１の宛先に関連付けられた前記状態情報を前記通信端末へ送信し、前記第２の宛先を送信する場合には、該第２の宛先の状態が不明である旨を示す情報を前記通信端末へ送信することを特徴とするプログラム。
【請求項１５】
宛先を管理する管理システムと、第１の通信方式を利用して通信データを送信又は受信する通信端末と、を有する通信システムにおいて、
前記管理システムは、
前記第１の通信方式を利用して通信データを送信又は受信する第１の宛先又は前記第１の通信方式とは異なる第２の通信方式を利用して通信データを送信又は受信する第２の宛先を前記通信端末が前記管理システムにログインする際に用いる識別情報と関連付けて管理する宛先管理手段と、
前記第１の宛先と該第１の宛先の状態を示す状態情報を関連付けて管理する状態管理手段と、
前記管理システムへ前記識別情報を用いてログインした前記通信端末へ該識別情報に関連付けられた前記第１又は第２の宛先を送信する送信手段と、を有し、
前記送信手段は、前記第１の宛先を送信する場合には、該第１の宛先に関連付けられた前記状態情報を前記通信端末へ送信し、前記第２の宛先を送信する場合には、該第２の宛先の状態が不明である旨を示す情報を送信し、
前記通信端末は、
前記管理システムから受信した前記第１の宛先を含む宛先リストを表示画面へ表示させる場合には、当該第１の宛先と前記状態情報を視覚的に示す第１の視覚情報とを対応付けて表示させ、
前記管理システムから受信した前記第２の宛先を含む宛先リストを表示画面へ表示させる場合には、前記第２の宛先の状態が不明である旨を示す情報に基づいて前記第１の視覚情報とは視覚的に異なる第２の視覚情報とを対応付けて表示させる表示制御手段
を有することを特徴とする通信システム。
【請求項１６】
前記第１の視覚情報に含まれる各視覚情報、及び前記第２の視覚情報は、それぞれ異なる形態のアイコンであることを特徴とする請求項１５記載の通信システム。
【手続補正２】
【補正対象書類名】明細書
【補正対象項目名】発明の名称
【補正方法】変更
【補正の内容】
【発明の名称】管理システム、通信制御方法、プログラム及び通信システム
【手続補正３】
【補正対象書類名】明細書
【補正対象項目名】０００７
【補正方法】変更
【補正の内容】
【０００７】
請求項１に係る発明は、第１の通信方式を利用して通信データを送信又は受信する通信端末とネットワークを介して接続し、宛先を管理する管理システムにおいて、前記第１の通信方式を利用して通信データを送信又は受信する第１の宛先又は前記第１の通信方式とは異なる第２の通信方式を利用して通信データを送信又は受信する第２の宛先を、前記通信端末が前記管理システムにログインする際に用いる識別情報と関連付けて管理する宛先管理手段と、前記第１の宛先と該第１の宛先の状態を示す状態情報を関連付けて管理する状態管理手段と、前記管理システムへ前記識別情報を用いてログインした前記通信端末へ該識別情報に関連付けられた前記第１又は第２の宛先を送信する送信手段と、を有し、前記送信手段は、前記第１の宛先を送信する場合には、該第１の宛先に関連付けられた前記状態情報を前記通信端末へ送信し、前記第２の宛先を送信する場合には、該第２の宛先の状態が不明である旨を示す情報を前記通信端末へ送信することを特徴とする管理システムである。